(57)【特許請求の範囲】
【請求項１】
電気機器本体に固定されるソケット部と該ソケット部に着脱容易に嵌合されるネジ端子部とから成る端子台に於いて、該ソケット部に凹部を設け、該凹部に差込可能な部材をもつ該ネジ端子部に設けられたｎ個（ｎは１以上の整数）のガイドを、いずれも複数の選択可能位置の中から、唯一の挿入可能な組み合わせ位置に設定することにより、該ネジ端子部と該ソケット部とを正しく嵌合せしめ、該ガイドは該ネジ端子部に設けられた端子金具の基台部より下方側であって該基台部の一端から下方へ延びるリード片より前記基台部の他端側への領域に配置されることを特徴とする分離型端子台の誤挿入防止機構。
【請求項２】
該ガイドは、互いに平行な軸芯をもち、軸芯間水平距離を隔てて、互いに逆方向に突出した取付ピンおよび前記部材としての柱状部をもつことを特徴とする請求項１記載の分離型端子台の誤挿入防止機構。
【請求項３】
該ガイドは、該ガイドに形成された取付ピンにより該ネジ端子部のｍ個の位置で固定可能に装着され、該ソケット部の、該ガイド固定可能位置に相対する位置に設けられたｍ個の凹部のうち充填されずに残された１個の凹部が、該ガイドの固定位置と合致した場合に、該ソケット部とネジ端子部とが嵌合可能とし、ｍは２以上の整数であることを特徴とする請求項１または２記載の分離型端子台の誤挿入防止機構。
【請求項４】
該ソケット部に設けたｍ個の凹部は、該凹部と対応する位置に設けられたｍ個の差込孔に、該ソケット部の下側から充填ピンを差込固定することにより充填可能な構造であることを特徴とする請求項１乃至３のいずれか一項に記載の分離型端子台の誤挿入防止機構。
【請求項５】
該ガイドの該複数の選択可能位置は該ソケット部の内側底部に該基台部方向と該リード片方向とに垂直な方向に配置されることを特徴とする、請求項１乃至４のいずれか一項に記載の分離型端子台の誤挿入防止機構。
【発明の詳細な説明】
【０００１】
【発明の属する技術分野】
この発明は、通信タ−ミナル等電気機器の入出力端子として使用される端子台に関するもので、特に多数本の電線により、外部の電気・電子機器と接続される場合に好適な分離型端子台の改良に関する。
【０００２】
【従来の技術】
従来、多数本の電線により外部機器と接続される端子台２は、図１に示すように機器本体１の背面に固定的に設置され、接続する電線は多数本の端子ネジ３により、個々に固定されている。そのような使用状況では、機器本体は背面に張りめぐらされた多数本の電線により、言わばその場所に拘束された形となっており、通常の使用条件下では全く支障はないが、何らかの事情により、設定場所の変更が必要になった場合、或いは点検、補修、修理等で、機器の配置変更や移動の必要が生じた場合には、接続した電線を本体機器から取り外し、軽装化してから処置しなければならない。そのためには多数本の電線全てについて、その端末を固定している端子台の端子ネジを、１本ずつ緩めて外さねばならず、その結果非常に大きな労力、時間のロスになっていた。しかも再連結時に結線順序を誤る恐れもあり、その処置・管理は、作業者にとって大きな負担となっていた。
【０００３】
このような端子台への配線用電線の脱着作業を軽減するために、これまでに多くの改善・改良の試みがなされてきた。中でも、個々の接続端子を外すことなく、端子台全体を着脱可能にする手法は、作業量の大幅軽減ばかりでなく、各端子の接続ミスを完全に解消することで、非常に注目を浴びている。本願発明者らは、先にその好適な構造として、電気機器本体に固定されるソケット部とこのソケット部に着脱容易に嵌合されるネジ端子部とから成る、分離可能な端子台を提案し、実際の機器に採用して非常に大きな成果を挙げつつある。
【０００４】
【発明が解決しようとする課題】
しかし、このような分離型端子台では、嵌合すべきネジ端子部が正しいソケット部と正しく組み合わされてこそ、その本来の効果を挙げ得ることは言うまでもない。分離可能な端子台をはじめ、多くの分離型構造をもった電気部品において、入力端子台と出力端子台との混同や、挿入する向きを間違えたり、嵌合位置を誤る等の、嵌合時に発生するトラブルの発生を防ぎ、正しい組み合わせ部品が、正しい組み合わせ配置でのみ嵌合を可能とする、誤挿入防止の仕組みは必須である。これまでの電気部品は、接合部位に特定の組み合わせでのみ嵌合可能にした機構を組み込んだものがほとんどである。従来のかかる防止機構は、いずれも該当部材の製造段階で予め締め組み込まれ、使用の途中で他の組み合わせ部品に変更することができない。どうしても変更しなければならない場合には、嵌合する両方の部品を共に変更しなければならないという、重大な制約がある。従って、使用の過程で接続する組み合わせを変更する必要が生じたような場合に、作業者に過大の負担を掛けることなく、現場でも容易に組み合わせ条件を設定し直して、別の部品と新たな嵌合を可能にする、汎用性を持ったフレキシルな機構の実現が、強く要望されているにも関わらず、未だに果たされていない。
【０００５】
【課題を解決するための手段】
上記課題を解決するため、本発明は、下記の構成を有するものである。
（１） 電気機器本体に固定されるソケット部と該ソケット部に着脱容易に嵌合されるネジ端子部とから成る端子台に於いて、該ソケット部に凹部を設け、該凹部に差込可能な部材をもつ該ネジ端子部に設けられたｎ個（ｎは１以上の整数）のガイドを、いずれも複数の選択可能位置の中から、唯一の挿入可能な組み合わせ位置に設定することにより、該ネジ端子部と該ソケット部とを正しく嵌合せしめ、該ガイドは該ネジ端子部に設けられた端子金具の基台部より下方側であって、該基台部の一端から下方へ延びるリード片より前記基台部の他端側への領域に配置されることを特徴とする分離型端子台の誤挿入防止機構。
（２） 該ガイドは、互いに平行な軸芯をもち、軸芯間水平距離を隔てて、互いに逆方向に突出した取付ピンおよび前記部材としての柱状部をもつことを特徴とする請求項１記載の分離型端子台の誤挿入防止機構。
（３） 該ガイドは、該ガイドに形成された取付ピンにより該ネジ端子部のｍ個の位置で固定可能に装着され、該ソケット部の、該ガイド固定可能位置に相対する位置に設けられたｍ個の凹部のうち充填されずに残された１個の凹部が、該ガイドの固定位置と合致した場合に、該ソケット部とネジ端子部とが嵌合可能とし、ｍは２以上の整数であることを特徴とする請求項１または２記載の分離型端子台の誤挿入防止機構。
（４） 該ソケット部に設けたｍ個の凹部は、該凹部と対応する位置に設けられたｍ個の差込孔に、該ソケット部の下側から充填ピンを差込固定することにより充填可能な構造であることを特徴とする請求項１乃至３のいずれか一項に記載の分離型端子台の誤挿入防止機構。
（５）該ガイドの該複数の選択可能位置は該ソケット部の内側底部に該基台部方向と該リード片方向とに垂直な方向に配置されることを特徴とする、請求項１乃至４のいずれか一項に記載の分離型端子台の誤挿入防止機構。
【０００６】
【発明の実施の形態】
以下、この発明の実施の形態を、図面に従って説明する。
本発明の誤挿入防止ガイドを設ける分離型端子台の構造として、多くの構造、形式が採用可能であるが、ここでは一つの好ましい実施例として、図２に側断面を示すような構造の端子ユニットを複数個、長手方向に配列して一体形成した構成のものを例として説明する。言うまでもなく、本発明の精神を逸脱しない限り、多くの変更が可能である。この分離型端子台４は、上部約２／３を占めるネジ端子部４Ａと、残りの下部約１／３を占めるソケット部４Ｂから成る。ネジ端子部４Ａは、圧着端子５を固定する端子ネジ６を備えた端子ネジ側ハウジング７と、端子ネジ６と螺合する螺合部１０Ａを形成した端子金具１０を備えた端子金具側ハウジング８の二つからなる構造をもち、ソケット部４Ｂは、機器本体内の配線網に接続された、導電性受栓端子１１をもったソケット部ハウジング９によって構成され、各ハウジングとも電気絶縁性のプラスチックで成形され、周囲から絶縁されている。端子金具側ハウジング８の基部８Ａから下方に突出する、端子金具１０の基台部１０Ｂに垂設されたリ−ド片１０Ｃの先端部１０Ｄを受栓端子１１に形成された対向する接触子１１Ａ間に挿入することにより、圧着端子５と受栓端子１１とが導通状態になる。
【０００７】
ソケット部４Ｂは、図示しない機器本体に固定されており、ネジ端子部４Ａの側面を手指で掴んで上方へ引き上げれば、端子台４のネジ端子部４Ａをソケット部４Ｂから分離できる。こうして機器本体を、接続された電線の拘束から開放すれば、機器本体の移動その他の取り扱いが非常に容易となり、しかも、ハウジングの分離面に現れる導電性のリ−ド片１０Ｃと接触子１１Ａは、それぞれのハウジングに形成された各二つの挿入部８Ｂ、８Ｃと受容部９Ｂ、９Ｃによって、遮蔽するように覆われているために、表面に露出せず、感電の危険は完全に回避されている。従ってここに挙げた分離型端子台では、能率向上と共に安全性にも優れた特徴を発揮する。
【０００８】
ネジ端子部４Ａを構成する二つのハウジング７、８は、図２では別個の部材として成形し、組み立て過程で嵌合されている。端子ネジ側ハウジング７の上面部７Ｂには、圧着端子５を端子金具１０の基台部１０Ｂに圧接固定するために、端子ネジ６をドライバーにて回転操作するための操作口１４が設けられている。ネジ軸線上の下方対向面には、端子ネジ６と螺合するネジ山をもった螺合部１０Ａが、端子金具側ハウジング８の支持部上面に設けられ、螺合部１０Ａを形成した基台部１０Ｂを下側から支承する。圧着端子５には端子ネジ６が貫通可能な孔５Ａが設けられており、端子ネジがドライバーで押圧されてまわされると端子ネジ６は、圧着端子５の孔５Ａを貫通するとともに螺合部１０Ａと螺合し、圧着端子５と端子金具１０を導通状態に保持する。
【０００９】
座金１６には、ワッシャ１５を介して端子ネジ６が回動は自由であるが抜けないように設けられており、座金１６の一方の端には座金ガイド部１６Ａとバネ押圧部１６Ｂが設けられており、座金ガイド部１６Ａを端子ネジ側ハウジング７に形成された座金案内溝７Ａに位置させるとともにバネ押圧部１６Ｂに端子ネジ側ハウジング７に形成されたコイルバネ挿入孔７Ｃに配設された端子ネジ復帰用コイルバネ２７の一端を接触させて、端子ネジ６を自動的に操作口１４付近に復帰させるようにして、端子ネジ６を緩めた場合でも、脱落することなく、端子ネジを復帰位置に待機させるようにしている。端子ネジ６を締めこんで螺合部１０Ａと螺合させた固定状態にある時は、端子ネジ６の頂部が端子ネジ側ハウジング上面部７Ｂから深く沈み、上面部７Ｂは端子ネジ６のストッパを兼ねたフィンガ−プロテクタ−の機能を備えている。
【００１０】
端子金具側ハウジングの基部８Ａから、上方に伸びる二つの支持部８Ｄ、８Ｅの先端には螺合部１０Ａを、端子ネジの軸芯に合わせて固定する。端子金具１０の基台部１０Ｂに垂設されたリ−ド片１０Ｃの先端部１０Ｄは、端子金具側ハウジングの基部８Ａから下方に突出し、ソケット部ハウジング９に設けられた受栓端子１１の対向する接触片１１Ａと契合して、端子台としての機能を発揮する。端子金具側ハウジング８の基部８Ａから、下方に突出したリ−ド片先端部１０Ｄを、感電の危険や、機械的損傷から保護するために、リ−ド片先端部１０Ｄを挟んで二つの挿入部８Ｂ、８Ｃが、リ−ド片先端部１０Ｄより高くなるよう設けてある。これらの挿入部８Ｂ、８Ｃは、ネジ端子部４Ａとソケット部４Ｂを結合する際の先導部材としても機能し、リ−ド片先端を確実に接触片１１Ａに誘導する。しかし、これら二つの挿入部８Ｂ、８Ｃは、各ユニットに全て同一形状で設けられているために、例え間違ったネジ端子部が挿入されようとしても、その正誤の識別は全く不能であり、それ故本発明の誤挿入防止機構の導入が必要となるのである。
【００１１】
ソケット部ハウジング９の基部９Ａから、接触片１１Ａを挟んで、接触片１１Ａより高く突出する二つの受容部９Ｂ、９Ｃが設けられ、受容部９Ｂ、９Ｃは、接触片１１Ａによる感電事故の防止と接触片の機械的損傷に対する保護機能をもつ。受栓金具１１は、リード片１１Ｂを介して本体各部位に連結される。ソケット部ハウジング９は固定部材１８により、機器本体背部に任意の手段で固定される。
【００１２】
複数個配列固定された端子台のユニット間のｎ個所のスペ−スに、各ユニットと干渉しないよう、各１個の本発明の誤挿入防止機構が、合計ｎ個設けられる。図３には、ｎ＝３の場合、即ち３個の誤挿入防止機構１９が配設された例が示されている。本発明の誤挿入防止機構の好適な実施例の一つを図４に示すが、本発明はこの実施例のみに限定されるものではない。図４に側断面図を示した本実施例は、互いに平行な軸芯をもち、一方の側に取付ピン２０Ｄをもったガイド２０、端子金具側ハウジング８の基部８Ａに設けられた取付ピン２０Ｄの差し込み孔２１、ソケット部ハウジングの基部９Ａに設けられた差し込み孔２２、及び差し込み孔２２を埋める充填ピン２３で構成される。
【００１３】
ガイド２０は、図５にその概略斜視図を示すように、板状部２０Ａの一方の側部に柱状部２０Ｃ（誤挿入防止用部分）が一体的に設けられ、板状部２０Ａの柱状部２０Ｃの反対側の側部２０Ｂの上面に取付ピン２０Ｄが突出形成されている。取付ピン２０Ｄは、図５の上向きの矢印で示すように、ネジ端子部を構成する端子金具側ハウジング８の基部８Ａに設けられた差し込み孔２１にはめあい状であるが回動自在に挿入され、側部２０Ｂを中心にした扇形形状の範囲内を揺動的に移動することができる。
【００１４】
一方、ソケット部ハウジング９の側面部９Ｄ内側には上記柱状部２０Ｃと嵌合するｍ個（本実施例ではｍ＝２）凹部２９が設けられ、また基部９Ａには、上記凹部２９と対応する位置にｍ個の差し込み孔２２が設けられている。該差し込み孔２２は、１個のみを残して、上記凹部２９とも嵌合する充填ピン２３が差し込まれる。充填ピン２３が嵌合していない凹部２９と相対する位置に、ガイド２０の柱状部２０Ｃが位置する場合、ネジ端子部４Ａとソケット部４Ｂは正しく嵌合され、端子台として正常に機能するのである。換言すれば、ネジ端子部４Ａをソケット部４Ｂに嵌合する場合、誤挿入防止ガイド２０も図５の矢印の方向に前進し、取付ピン２０Ｄにより、ネジ端子部４Ａに回動自在に装着されたガイド２０により規定された柱状部２０Ｃの位置が、充填ピン２３が嵌合していない凹部２９の位置に合致しなければ、両者の嵌合は不可能である。即ち、ガイド２０と、凹部２９（差し込み孔２２と対応する位置にある）と充填ピン２３との組み合わせ位置により、嵌合すべきではない不適正な端子部４Ａや、不適正な挿入位置等での嵌合を妨げ、誤挿入を防止する機能を果たすのである。
【００１５】
柱状部２０Ｃは、上記ｍ個の凹部２９のいずれにも挿入可能である。従って、凹部２９および凹部２９に対応した位置にある差し込み孔２２は、ネジ端子部をソケット部に正しく嵌合した位置の、取付ピン２０Ｄの軸の延長線を中心とする、半径が取付ピン２０Ｄと柱状部２０Ｃの軸間水平距離に等しい円弧上に配置されている。
【００１６】
また、上記柱状部２０Ｃの下部を下方への突出形状とし、ソケット部ハウジングにはｍ個の差し込み孔２２のみを設けて、該差し込み孔２２は、１個のみを残して、充填ピン２３で埋められ、所定の位置のみに柱状部２０Ｃのの突出部が埋められていない差し込み孔２２に嵌合する形態としてもよい。
【００１７】
上記の説明から明らかなように、ガイド２０は、ソケット部４Ｂの凹部２９の数に等しいｍ個の位置で固定することが必要である。更にその固定位置を、必要に応じて、随時簡単に変更できることも必要である。そのために、任意の手法が用いられるが、例えば、取付ピン２０Ｄの形状を円形状にし、該取付ピン２０Ｄを端子金具側ハウジングの基部８Ａに設けられた取付ピン差し込み孔２１に回動自在であるが圧入固定する手段がある。取付ピン２０Ｄを取付ピン差し込み孔２１に圧入しているため、ガイド２０を所定位置に回動させたとしてもその位置を保持している。
【００１８】
他に、取付ピン２０Ｄの形状を回転自在の円形状とし、該取付ピン２０Ｄを端子金具側ハウジングの基部８Ａ下面に設けられた取付ピン差し込み孔２１に差し込む一方、図６（ａ）（端子金具側ハウジングの基部８Ａをソケット部との嵌合方向から見た平面図である。）に示すように、端子金具側ハウジングの基部８Ａに設けられた挿入部８Ｃの下部にガイド２０の回動を妨げるような突起部２８を設ける手法も用いられる。ガイド２０の柱状部２０Ｃを下方に突出した形状（突出部２０Ｃ'）とし、かつガイド２０の柱状部の下部突出部分以外は突起部２８に妨げられないような形状とする一方、突起部２８はガイド２０を回動させる時、強く力を加えれば突出部２０Ｃ'が突起部を越えるが、ガイド２０が他の部品や手指に触れたり、あたった程度では突出部２０Ｃ'が突起部を越えないような形状とすることにより、ガイド２０の回動が可能で、かつ所定位置に固定させることが可能である。なお、上記突出部の設置位置は挿入部８Ｃの下部に限らず、挿入部８Ｃのより上方に設けてもよいが、その場合は突起部の位置に応じて、ガイド２０を上記の作用が可能な形状にする必要がある。
【００１９】
また、他の手段として取付ピン２０Ｄの突出部の断面形状及び取付ピン差し込み孔２１の形状を、固定すべき位置の数ｍに対して、ｍ＋２以上の正多角形とし、ガイド２０の板状部２０Ａを配設すべき方向に合わせて、取付ピン２０Ｄを取付ピン差し込み孔２１に挿入するものである。例えば固定位置が２箇所、即ちｍ＝２であれば、２＋２＝４であるから、正方形以上の正多角形とし、ガイド２０の挿入位置を隣接する２辺に選べば、ガイド２０の板状部２０Ａを扇形角度９０度の範囲に揺動可能で、その両端の位置で固定することが可能となる。更に正六角形とすれば、固定可能な２箇所の固定位置は、扇形角度６０度乃至１２０度の範囲のいずれにも、設定可能となる。いずれを選定するかは、図３に示したようなユニット間の限られたスペ−ス内に、ガイド２０が揺動可能な扇形範囲を収めることにより決定される。また、ｍ＝３の場合は、３＋２＝５であるから、正５角形以上であればよいことになるが、上述の許容スペ−ス内に収まるように、また更に製作し易さ等も考慮して、正六角形、正八角形などを適宜、選定すればよい。しかし、通常は余り大きなスペ−スの余裕は与えられないから、正多角形の角数の大きな形状を選定した方が好ましい。図６（ｂ）（端子金具側ハウジングとソケット部ハウジングが嵌合した状態でガイド２０の状態を端子金具側ハウジング側から見た図である。）に、ｍ＝３の場合の、取付ピン２０Ｄの断面形状及び嵌合するソケット部ハウジングの基部９Ａに穿つ充填ピン差し込み孔２２の形状を、正六角形にした場合の平面図を示す。
【００２０】
さらに、ガイド２０の位置固定のための、他の実施例としては、図６（ｃ）（端子金具側ハウジングの基部８Ａをソケット部との嵌合方向から見た平面図である。ガイド２０は点線で表わす。）に示すように、柱状部２０Ｃの上面、即ち取付ピンの突出する方向の端面に、高さの低い補助ピン２０Ｅを突出させ、併せてこの補助ピン２０Ｅが挿入可能な孔２４を、ガイド２０を固定すべき位置に合わせて、端子金具側ハウジング８の基部８Ａに穿ち、ガイド２０を補助ピン２０Ｅで、選択すべき位置に固定するものである。この場合は、ガイド２０の回転中心となる取付ピン２０Ｄを基部８Ａから完全に抜き去ることなく、補助ピン２０Ｅが抜ける程度に、ガイド２０を引き出して、所定の固定位置まで揺動させればよいので、条件変更をより簡便に行えるのと、ガイド２０の固定位置を任意の位置に設定することができるため、ユニット間スペ−スの極度に狭いような場合に好適である。補助ピン２０Ｅとしては、小径の高さの低いものの方が扱い易く、好ましい。
【００２１】
柱状部２０Ｃ及び凹部２９（柱状部２０Ｃを直接差し込み孔に差し込む場合は、充填ピン差し込み孔２２）の断面形状は任意であるが、柱状部２０Ｃが複数の凹部２９（あるいは充填ピン差し込み孔２２）のいずれにも滑らかに挿入され、後述する充填ピン２３が共通に使用できるためには、また製作の容易さからも、円形断面が好ましい。凹部２９（あるいは充填ピン差し込み孔２２）は、ソケット部とネジ端子部とが正しく嵌合するよう規定する機能をもつものであるから、選択可能なｍ個の凹部の内の１箇所をのみを、柱状部２０Ｃの挿入が可能なように残して、ガイド２０の固定位置とのマッチングを規定する必要がある。そのために、充填せず残す位置以外の凹部２９を充填ピン２３により充填して、柱状部２０Ｃの挿入を不能にする必要がある。そのための手法は、特に限定されないが、図７（ａ）に側断面図で示すような、段付き形状の充填ピン２３を、図７（ａ）の矢印の方向に沿って、ソケット部ハウジング９の基部９Ａの外側から差し込み、差し込み孔２２より突出させて挿入、固定する（図７（ｂ））。
【００２２】
充填ピン２３の具体的な固定手段としては、図７に示したように、充填ピン２３は径大の基台２３Ａに径小の柱状部２３Ｂを一体形成したもので、差し込み孔２２の対応部位段部２２Ａを形成し、基部９Ａより、柱状部２３Ｂを突出させて圧入固定させる。柱状部２３Ｂは、基部９Ａより突出しているため、ガイド２０が所定位置でない場合、ガイド２０の柱状部２０Ｃと充填ピン２３の柱状部２３Ｂとが当接し、ネジ端子部４Ａとソケット部４Ｂとの嵌合ができなくなり、ネジ端子部４Ａとソケット部４Ｂとの誤嵌合が防止される。また、充填ピン２３が基部９Ａより突出しているため、ネジ端子部４Ａのリード片１０Ｃがソケット部４Ｂの接触子１１Ａに接触しないため、誤接続が防止される。
【００２３】
また、充填ピン２３の他の固定手段として、基台２３Ａの側面にネジ部を形成し、差し込み孔２３に螺着固定する手段、あるいは充填ピン２３を単純な円柱形状とし、差し込み孔に挿入した後、電気機器本体により外側より差し込み孔２２を覆って充填ピン２３の脱落を防止する手段等が挙げられる。
【００２４】
【本発明の効果】
本発明によれば、次の諸効果が得られる。
（１）機器本体に固定されるソケット部と、これに着脱容易に嵌合されるネジ端子部から成る端子台に於いて、回動自在且つ固定可能な誤挿入防止ガイドを、端子金具側ハウジングの基部に取りつけて複数位置に固定可能なように配設し、一方ソケット部には、上記誤挿入防止ガイドに設けた柱状部と相対する位置に、該柱状部を嵌合できる凹部を設け、その内の１つのみを残して他の凹部を充填ピンにより充填するため、ネジ端子部に位置固定されたガイドの柱状部と、ソケット部の充填されていない凹部とが合致した場合のみ、ネジ端子部をソケット部に嵌合することができる。このような機能をもった、本発明の誤挿入防止機構は、装着せんとするネジ端子部の正誤を識別して、間違ったネジ端子部の誤挿入を防ぐのみならず、正しいネジ端子部の不適正位置での挿入によるトラブル発生の防止が可能である。
（２）誤挿入防止ガイドのネジ端子部に対する固定位置、及びガイドの挿入を許容する空の凹部位置を、常に対応して変更することが可能であるため、使用の途中でも必要に応じて何時でも、仕様変更に対応できるフレキシビリティをもっている。従来の一般の分離型電気部品における誤挿入防止機構では、製造段階で作りこまれ、その後の追加変更には全く対応できなかったのに比べ、非常に汎用性に富んでいる。しかも切替え作業は、ネジ端子部の誤挿入防止ガイド固定位置の変更と、充填ピンの入れ換えのみの簡単なものであり、非常に容易に取り扱うことができる。
【図面の簡単な説明】
【図１】従来例の端子台の正面図である。
【図２】分離型端子台の側断面図である。
【図３】本発明の実施例の一つである誤挿入防止機構を設けた分離型端子台の側面図及び平面図である。
【図４】図３のＡＢ断面図である。
【図５】本発明の誤挿入防止機構部分の実施例の一つを示した拡大斜視図である。
【図６】（ａ）本発明の誤挿入防止機構部分の実施例を更に具体的に示した拡大平面図である。（ｂ）本発明の誤挿入防止機構部分の他の実施例を具体的に示した拡大平面図である。（ｃ）本発明の誤挿入防止機構部分の他の実施例を具体的に示した拡大平面図である。
【図７】（ａ）充填ピンと差し込み孔の一例の側断面図である。（ｂ）（ａ）において充填ピンを差し込み孔に差し込んだ様子を示す側断面図である。
【符号の説明】
１  電気機器本体
２  従来例の端子台
３  従来例の端子台に付設された端子ネジ
４  分離型端子台
４Ａ  ネジ端子部
４Ｂ  ソケット部
５  圧着端子
５Ａ  孔
６  端子ネジ
７  端子ネジ部側ハウジング
７Ａ  座金案内溝
７Ｂ  端子ネジ部側ハウジングの上面部
７Ｃ  復帰用コイルバネ挿入孔
８  端子金具側ハウジング
８Ａ  端子金具側ハウジングの基部
８Ｂ  端子金具側ハウジングの挿入部
８Ｃ  端子金具側ハウジングの挿入部
８Ｄ  端子金具側ハウジングの支持部
８Ｅ  端子金具側ハウジングの支持部
９  ソケット部ハウジング
９Ａ  ソケット部ハウジングの基部
９Ｂ  ソケット部ハウジングの受容部
９Ｃ  ソケット部ハウジングの受容部
９Ｄ  ソケット部ハウジングの側面部
１０  端子金具
１０Ａ  端子金具の螺合部
１０Ｂ  端子金具の基台部
１０Ｃ  端子金具のリード片
１０Ｄ  リード片の先端部
１１  受栓端子
１１Ａ  接触子
１１Ｂ  受栓端子のリード片
１３  端子口
１４  操作口
１５  ワッシャ
１６  座金
１６Ａ  座金ガイド部
１６Ｂ  バネ押圧部
１７  接続端子
１８  ソケット部ハウジング固定部材
１９  誤挿入防止機構
２０  誤挿入防止ガイド
２０Ａ  誤挿入防止ガイド板状部
２０Ｂ  誤挿入防止ガイド板状部側部
２０Ｃ  誤挿入防止ガイドの柱状部
２０Ｃ’  柱状部下部突出部分
２０Ｄ誤挿入防止ガイドの  取付ピン
２０Ｅ  誤挿入防止ガイドの補助ピン
２１  端子金具側ハウジングの基部に設けられた取付ピン差し込み孔
２２  ソケット部ハウジングの底面部に設けられた充填ピン差し込み孔
２２Ａ  充填ピン差し込み孔の段部
２３  充填ピン
２３Ａ  充填ピンの基台
２３Ｂ  充填ピンの柱状部
２４  補助ピン挿入孔
２５  導線
２６  電気機器本体ケース
２７  端子ネジ復帰用コイルバネ
２８  突起部
２９  凹部
【図１】
0004010614.tif 000002
【図２】
0004010614.tif 000003
【図３】
0004010614.tif 000004
【図４】
0004010614.tif 000005
【図５】
0004010614.tif 000006
【図６】
0004010614.tif 000007
0004010614.tif 000008
【図７】
0004010614.tif 000009